(57)【特許請求の範囲】
【請求項１】
車両のシートの側面に配置され、当該シートの全体又は一部を電動により移動させるためのシート操作スイッチであって、
前記シートに着座した乗員の指を差し入れ可能に形成された差入部と、
前記差入部の内壁に設けられ、前記指により操作される操作部と、
前記操作部が操作されたことを検知して信号を発信する検知部と、
前記検知部からの信号により所定の移動動作を実行させる制御部と、を備え、
前記差入部は、側方に開口し、前記乗員の親指以外の指を側方から差し入れ可能に形成された第１差入部と、上方に開口し、前記乗員の親指を上方から差し入れ可能に形成された第２差入部と、の少なくとも２つが設けられていることを特徴とするシート操作スイッチ。
【請求項２】
前記第１差入部は、側方に開口する環状、又は、側方及び下方に開口する窪み状に形成され、
前記第２差入部は、上方に開口する環状、又は、上方及び側方に開口する窪み状に形成されている請求項１に記載のシート操作スイッチ。
【請求項３】
前記操作部は１つの前記差入部に複数設けられており、
前記制御部は、前記検知部から各前記操作部に対応した信号を複数同時に受信した場合に、前記信号を単独で受信した場合とは別の移動動作を実行させる請求項１又は２に記載のシート操作スイッチ。
【発明の詳細な説明】
【技術分野】
【０００１】
本発明は、シート操作スイッチに関する。更に詳しくは、手探りでも操作位置を容易に認識することができるシート操作スイッチに関する。
【背景技術】
【０００２】
従来、車両用装置に用いられる操作スイッチは、例えば特許文献１等に示すように、操作者から見えやすい位置に設けられている。このようなスイッチでは、操作者が容易にスイッチの操作位置に指先を合わせることができる。
【先行技術文献】
【特許文献】
【０００３】
【特許文献１】特開２００５−２５４９７２号公報
【発明の概要】
【発明が解決しようとする課題】
【０００４】
ところで、車両用装置として、前後へのスライドや座面の高さ、背もたれの傾き等の構成部位の位置を電動で操作可能な車両用シートが知られている。このようなシートでは、通常、操作スイッチはシート座部の側面に設けられている。この場合、スイッチ操作時には、操作者が操作位置を視認することが困難であり、手探りで操作位置を探す必要があった。
【０００５】
本発明は、上記実情に鑑みてなされたものであり、手探りでも操作位置を容易に認識することができるシート操作スイッチを提供することを目的とする。
【課題を解決するための手段】
【０００６】
上記問題点を解決するために、第１の発明は、車両のシートの側面に配置され、当該シートの全体又は一部を電動により移動させるためのシート操作スイッチであって、前記シートに着座した乗員の指を差し入れ可能に形成された差入部と、前記差入部の内壁に設けられ、前記指により操作される操作部と、前記操作部が操作されたことを検知して信号を発信する検知部と、前記検知部からの信号により所定の移動動作を実行させる制御部と、を備え、前記差入部は、側方に開口し、前記乗員の親指以外の指を側方から差し入れ可能に形成された第１差入部と、上方に開口し、前記乗員の親指を上方から差し入れ可能に形成された第２差入部と、の少なくとも２つが設けられていることを要旨とする。
【０００７】
第２の発明は、上記第１の発明において、前記第１差入部は、側方に開口する環状、又は、側方及び下方に開口する窪み状に形成され、前記第２差入部は、上方に開口する環状、又は、上方及び側方に開口する窪み状に形成されていることを要旨とする。
【０００８】
第３の発明は、上記第１又は第２の発明において、前記操作部は１つの前記差入部に複数設けられており、前記制御部は、前記検知部から各前記操作部に対応した信号を複数同時に受信した場合に、前記信号を単独で受信した場合とは別の移動動作を実行させることを要旨とする。
【０００９】
上記第１乃至３の発明において、前記操作部は、前記差入部の内壁側であって、前記シートの上、下、前及び後のうちの少なくとも１つの方向に配置されているようにすることができる。
【００１０】
上記第１乃至３の発明において、前記操作部は、前記第１差入部の内壁側であって、前記シートの上、前及び後のうちの少なくとも１つの方向に配置されているとともに、前記第２差入部の内壁側であって、前記シートの下、前及び後の少なくとも１つの方向に配置されているようにすることができる。
【発明の効果】
【００１１】
本発明のシート操作スイッチによると、操作者である乗員の指を導くガイドとして差入部を設け、この差入部の内壁側に、指により操作される操作部を設けている。このような構成により、操作者からは見えない位置に配置されるシート操作スイッチであっても、スイッチ自体の位置とその操作位置とを容易に認識することができる。また、実際の操作位置となる操作部が差入部の内壁側に設けられているので、意図しない操作によりシートの移動動作が実行されてしまうことを防止できる。
【００１２】
また、前記操作部は、１つの前記差入部に複数設けられており、前記検知部は各前記操作部に対応した信号を発信し、前記制御部は、前記信号を複数同時に受信した場合に、前記信号を単独で受信した場合とは別の移動動作を実行させる場合は、各移動動作に対応する操作部を設けることなく多様な移動動作を実行させることができる。また、差入部に操作部が複数設けられているので、操作部が点在している場合と比較して、手の位置を変えることなく、同じ指によって異なる複数の移動動作に対応した操作を行うことができる。
【００１３】
前記差入部は、側方に開口し、前記乗員の親指以外の指を側方から差し入れ可能に形成された第１差入部と、上方に開口し、前記乗員の親指を上方から差し入れ可能に形成された第２差入部と、の少なくとも２つが設けられているので、操作者がシートに着座した状態で、シート操作スイッチに自然に手を添えて操作することができる。
【００１４】
また、前記操作部は、前記差入部の内壁側であって、前記シートの上、下、前及び後のうちの少なくとも１つの方向に配置されるようにすれば、シートを実際に動かすイメージで指を動かすという直感的な操作により移動動作を実行させることができる。
【００１５】
更に、前記操作部は、前記第１差入部の内壁側であって、前記シートの上、前及び後、のうちの少なくとも１つの方向に配置されているとともに、前記第２差入部の内壁側であって、前記シートの下、前及び後の少なくとも１つの方向に配置されているようにすれば、各差入部に指をそれぞれ入れて、シートを実際に動かすイメージで各指を動かすという直感的な操作により移動動作を実行させることができる。
【図面の簡単な説明】
【００１６】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】本実施例に係るシート操作スイッチの配設例を示す斜視図である。
【図２】本実施例に係るシート操作スイッチを示す正面図である。
【図３】図２のＩ−Ｉ線断面図である。
【図４】本実施例に係る差入部の拡大縦断面図である。
【図５】他の実施形態に係るシート操作スイッチを示す斜視図である。
【図６】他の実施形態に係るシート操作スイッチを示す正面図である。
【図７】他の実施形態に係るシート操作スイッチを示す正面図である。
【図８】他の実施形態に係るシート操作スイッチの配設例を示す縦断面図である。
【発明を実施するための形態】
【００１７】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１８】
本実施形態に係るシート操作スイッチは、車両のシートの側面に配置され、当該シートの全体又は一部を電動により移動させるためのシート操作スイッチであって、以下に述べる差入部と、操作部と、検知部と、制御部と、を備えている。
尚、上記シートとしては、ドライバーシート、アシスタントシート等のフロントシートのみならず、セカンドシートやサードシートであってもよい。
【００１９】
上記「差入部」は、上記シートに着座した乗員の指を差し入れ可能に形成されている限り、その構造、形状、大きさ、個数等は特に問わない。この差入部は指を導くガイドとなる。また、この差入部に差し入れられる指は、人差し指、中指、薬指、小指又は親指のうちのいずれの指であってもよい。この差入部の形状としては、例えば、環状（例えば、図２等参照）、窪み状（例えば、図５等参照）等を挙げることができる。尚、上記「差し入れ」とは、環状の差入部の場合には環の内側に指が挿入されることを意図し、窪み状の差入部である場合には、窪みの内側面に沿って指が差し入れられることを意図する。また、指を差し入れる方向も特に限定されず、例えば、シートの側方（例えば、図２、５等参照）、上方（例えば、図２、５等参照）、下方（例えば、図５等参照）、前方、後方等から指を差し入れることができる。
尚、以下の本実施形態及び後述の実施例の説明において、前方又は後方（前後方向）とは、シートの前方又は後方（シートの前後方向）を意図し、また、上方又は下方（上下方向）とは、シートの上方又は下方（シートの上下方向）を意図し、更に、側方とは、シートの側方を意図する。
【００２０】
上記「操作部」は、上記差入部の内壁側に設けられ、指により操作される限り、その構造、形状、大きさ、個数等は特に問わない。この操作部を指により操作する形態としては、例えば、（１）操作部を所定値以上の操作力で押すことにより操作する形態、（２）操作部を指で触れることにより操作する形態等を挙げることができる。尚、上記「所定値以上の操作力」としては、例えば、２．５〜９Ｎ（好ましくは、３〜４Ｎ）とすることができる。
【００２１】
上記「検知部」は、上記操作部が操作されたことを検知して信号を発信する限り、その構造、形状、大きさ、個数等は特に問わない。この検知部は、１つの操作部に対して１つ設けるようにしてもよいし、複数の操作部に対して１つ設けるようにしてもよい。また、この検知部は、１つの操作部に対して複数設けるようにしてもよい。この検知部による検知形態は特に限定されず、例えば、上記操作部が操作されることにより静電容量や電気抵抗値が変化したり、導通と非導通との変化が生じたりすること等を検知する形態を挙げることができる。具体的には、荷重センサやロードセル、プッシュスイッチ等を挙げることができる。
ここで、本実施形態においては、例えば、荷重センサ等により構成された検知部を直接指により操作する形態であってもよい。このような場合、上記操作部は、検知部の指により操作される部分となる。
【００２２】
上記「制御部」は、上記検知部からの信号により所定の移動動作を実行させる限り、その構造、形状、大きさ、個数、制御形態等は特に問わない。この制御部の移動動作を実行させる制御処理は、ハードウェア、ソフトウェアのいずれによって実現されてもよく、好適には、ＣＰＵ、メモリ（ＲＯＭ、ＲＡＭ等）、入出力回路等を備えるマイクロコントローラ（マイクロコンピュータ）を中心に、入出力インターフェース等周辺回路を備えることにより構成することができる。デジタル信号プロセッサ、プログラム可能な論理回路、ゲートアレーその他の論理回路が用いられて構成されていてもよい。
【００２３】
ここで、上記「所定の移動動作」とは、例えば、シート全体の前後への移動（スライド）、シートバックの傾斜（リクライニング）、シートクッションの上下移動（リフター）、シートクッションの前部を上下に移動させることによるシートクッションの傾斜（フロントバーチカル）、シートクッションの前後方向への伸縮又は位置の移動（クッション長）等を挙げることができるが、これらに限定されるものではない。
【００２４】
ここで、本実施形態に係るシート操作スイッチは、例えば、上記操作部は、１つの上記差入部に複数設けられており、上記検知部は各操作部に対応した信号を発信し、上記制御部は、信号を複数同時に受信した場合に、信号を単独で受信した場合とは別の移動動作を実行させる形態であることができる。
【００２５】
ここで、本実施形態に係るシート操作スイッチは、例えば、上記差入部は、乗員の親指以外の指を差し入れ可能に形成された第１差入部と、第１差入部の上方に配置され、乗員の親指を差し入れ可能に形成された第２差入部と、の少なくとも２つが設けられている形態であることができる（例えば、図２等参照）。
【００２６】
ここで、本実施形態に係るシート操作スイッチは、例えば、上記操作部は、上記差入部の内壁側であって、上記シートの上、下、前及び後のうちの少なくとも１つの方向に配置されている形態であることができる。即ち、いずれかの方向ごとに操作部を設けることができる。また、この場合、差入部に差し入れられる指はいずれの指であってもよい。
【００２７】
ここで、本実施形態に係るシート操作スイッチは、例えば、上記操作部は、上記第１差入部の内壁側であって、上記シートの上、前及び後、のうちの少なくとも１つの方向に配置されているとともに、上記第２差入部の内壁側であって、上記シートの下、前及び後の少なくとも１つの方向に配置されている形態であることができる（例えば、図２、図５等参照）。
【実施例】
【００２８】
以下、図面を用いて、実施例により本発明を更に具体的に説明する。
（１）シート操作スイッチの構成
本実施例に係るシート操作スイッチ１は、図１に示すように、車両のシート２の側面に配置されており、シート２の全体又は一部を移動させるためのシート操作スイッチである。シート２は、シート操作スイッチ１によって１０方向への移動動作が可能となっている。本実施例における１０方向への移動動作とは、（ｉ）シート２全体を前後方向へ移動させる動作（スライド）、（ｉｉ）シートバック２Ａを前後方向へ傾斜させる動作（リクライニング）、（ｉｉｉ）シートクッション２Ｂを上下方向に移動させる動作（リフター）、（ｉｖ）シートクッション２Ｂの前部側を上下方向に移動させてシートクッション２Ｂを傾斜させる動作（フロントバーチカル）、（ｖ）シートクッション２Ｂの前部側を前後方向に移動させてシートクッション２Ｂを伸縮させる動作（クッション長）である。
【００２９】
シート操作スイッチ１は、シート２の側面のシールド２Ｃにビス留めにより取り付けられている。図２に示すように、シート操作スイッチ１は、指を導くガイドとして、環状の４つの挿入穴３Ａ，３Ｂ，３Ｃ，３Ｄを備えている。挿入穴３Ａ（本発明に係る差入部及び第１差入部として例示する）と挿入穴３Ｂ，３Ｃは、本シート操作スイッチ１の下側に、側方から指を挿入可能に設けられているとともに、挿入穴３Ｄ（本発明に係る差入部及び第２差入部として例示する）は、本シート操作スイッチ１の上側に、上方から指を挿入可能に設けられている。即ち、これら４つの挿入穴３Ａ〜３Ｄは、操作者である乗員がシート２に着座した状態でシート操作スイッチ１に手を添えたときに、人差し指、中指、薬指及び親指がそれぞれ好適に挿入可能な位置に配置されている。
【００３０】
図２に示すように、挿入穴３Ａには３つのセンサ４Ａ，４Ｂ，４Ｃ（それぞれ、本発明に係る操作部及び検知部として例示する）が設けられている。これらセンサ４Ａ〜４Ｃは、挿入穴３Ａの内壁側であって、その前、上及び後にそれぞれ設けられている。また、挿入穴３Ｄには、３つのセンサ４Ｄ，４Ｅ，４Ｆ（それぞれ、本発明に係る操作部及び検知部として例示する）が、挿入穴３Ｄの内壁側であって、その前、上及び後にそれぞれ設けられている。本実施例において、これら６つのセンサ４Ａ〜４Ｆは、それぞれ所定値以上の操作力（例えば、２．５Ｎ以上）で押されることにより、図示しない２枚の電極間の静電容量が変化して信号を発信する静電容量型の荷重センサとなっている。また、本実施例においては、各センサ４Ａ〜４Ｆは、挿入穴３Ａ及び３Ｄの内壁に接着により取り付けられている。
【００３１】
図３に示すように、シート操作スイッチ１はＥＣＵ５（本発明に係る制御部として例示する）を備えている。ＥＣＵ５は、図示しないＣＰＵ、ＲＯＭ及びＲＡＭを有しており、ＲＯＭに保存された制御プログラムに従ってＣＰＵが各種処理動作を実行し、またＲＡＭはデータの一時保存等に使用される。このＥＣＵ５には、センサ４Ａ〜４Ｆが電気的に接続されている。また、ＥＣＵ５には、シート２の各移動動作のための図示しない駆動モータが電気的に接続されている。また、上述のように、センサ４Ａ〜４Ｆは、所定値以上の操作力で押されることにより信号を発信するようになっている。そして、ＥＣＵ５は、各センサ４Ａ〜４Ｆからの信号が入力されると、各信号に応じたシート２の移動動作を実行するための処理を行い、各駆動モータを駆動させる。また、ＥＣＵ５は、各センサ４Ａ〜４Ｆからの信号が同時に複数入力されると、各センサ４Ａ〜４Ｆのうちの一つからの信号が単独で入力された場合とは別の移動動作を実行するための処理を行うように構成されている。
【００３２】
図４に示すように、センサ４Ｂから延びる信号線６は、挿入穴３Ａの内壁に孔を開けてシート操作スイッチ１の内側に導入され、ＥＣＵ５に接続されている。他のセンサ４Ａ，４Ｃ〜４Ｆも同様に構成されている。
【００３３】
（２）シート操作スイッチの作用
次に、上記構成のシート操作スイッチ１の作用について説明する。
まず、図３に示すように、操作者であるシート２に着座した乗員が、各挿入穴３Ａ〜３Ｄに各指を挿入する。即ち、挿入穴３Ａ〜３Ｃに対しては側方から人差し指、中指、薬指がそれぞれ挿入され、挿入穴３Ｄに対しては上方から親指が挿入される。即ち、操作者であるシート２に着座した乗員の手は、シート操作スイッチ１に対して無理なく自然に添えられる。
【００３４】
次に、上述の（ｉ）〜（ｖ）の各移動動作を実行させる場合の操作について説明する。  （ｉ）スライド
シート２全体を前方へ移動させる場合、操作者は、挿入穴３Ａに挿入した人差し指で、挿入穴３Ａの内壁の前方側に配置されているセンサ４Ａを押す。これと同時に、挿入穴３Ｄに挿入した親指で、挿入穴３Ｄの内壁の前方側に配置されているセンサ４Ｄを押す。即ち、シート２全体を前方へ移動させるイメージで２つの挿入穴３Ａ及び３Ｄに挿入した人差し指及び親指を動かすことにより、センサ４Ａ及びセンサ４Ｄがそれぞれ操作される。これにより、センサ４Ａ及びセンサ４Ｄに対応する各信号がそれぞれＥＣＵ５に入力され、前方へのスライドの動作が実行される。
一方、シート２全体を後方へ移動させる場合、操作者は、挿入穴３Ａに挿入した人差し指で、挿入穴３Ａの内壁の後方側に配置されているセンサ４Ｃを押す。これと同時に、挿入穴３Ｄに挿入した親指で、挿入穴３Ｄの内壁の後方側に配置されているセンサ４Ｆを押す。即ち、シート２全体を後方へ移動させるイメージで２つの挿入穴３Ａ及び３Ｄに挿入した人差し指及び親指を動かすことにより、センサ４Ｃ及びセンサ４Ｆがそれぞれ操作される。これにより、センサ４Ｃ及びセンサ４Ｆに対応する各信号がそれぞれＥＣＵ５に入力され、後方へのスライドの動作が実行される。
【００３５】
（ｉｉ）リクライニング
シートバック２Ａを前方へ傾斜させる場合、操作者は、挿入穴３Ａに挿入した人差し指で、挿入穴３Ａの内壁の上方側に配置されているセンサ４Ｂを押す。これと同時に、挿入穴３Ｄに挿入した親指で、挿入穴３Ｄの内壁の前方側に配置されているセンサ４Ｄを押す。即ち、シートバック２Ａを前方へ傾斜させるイメージで２つの挿入穴３Ａ及び３Ｄに挿入した人差し指及び親指を動かすことにより、センサ４Ｂ及びセンサ４Ｄがそれぞれ操作される。これにより、センサ４Ｂ及びセンサ４Ｄに対応する各信号がそれぞれＥＣＵ５に入力され、前方へのリクライニングの動作が実行される。
一方、シートバック２Ａを後方へ傾斜させる場合、操作者は、挿入穴３Ａに挿入した人差し指で、挿入穴３Ａの内壁の上方側に配置されているセンサ４Ｂを押す。これと同時に、挿入穴３Ｄに挿入した親指で、挿入穴３Ｄの内壁の後方側に配置されているセンサ４Ｆを押す。即ち、シートバック２Ａを後方へ傾斜させるイメージで２つの挿入穴３Ａ及び３Ｄに挿入した人差し指及び親指を動かすことにより、センサ４Ｂ及びセンサ４Ｆがそれぞれ操作される。これにより、センサ４Ｂ及びセンサ４Ｆに対応する各信号がそれぞれＥＣＵ５に入力され、後方へのリクライニングの動作が実行される。
【００３６】
（ｉｉｉ）リフター
シートクッション２Ｂを上方に移動させる場合、操作者は、挿入穴３Ａに挿入した人差し指で、挿入穴３Ａの内壁の上方側に配置されているセンサ４Ｂを押す。即ち、シートクッション２Ｂを上方に移動させるイメージで挿入穴３Ａに挿入した人差し指を動かすことにより、センサ４Ｂが操作される。これにより、センサ４Ｂに対応する信号がＥＣＵ５に入力され、上方へのリフターの動作が実行される。
一方、シートクッション２Ｂを下方に移動させる場合、操作者は、挿入穴３Ｄに挿入した親指で、挿入穴３Ｄの内壁の下方側に配置されているセンサ４Ｅを押す。即ち、シートクッション２Ｂを下方に移動させるイメージで挿入穴３Ｄに挿入した親指を動かすことにより、センサ４Ｅが操作される。これにより、センサ４Ｅに対応する信号がＥＣＵ５に入力され、下方へのリフターの動作が実行される。
【００３７】
（ｉｖ）フロントバーチカル
シートクッション２Ｂの前部側を上方に移動させてシートクッション２Ｂを傾斜させる場合、操作者は、挿入穴３Ａに挿入した人差し指で、挿入穴３Ａの内壁の前方側に配置されているセンサ４Ａを押す。これと同時に、挿入穴３Ｄに挿入した親指で、挿入穴３Ｄの内壁の下方側に配置されているセンサ４Ｅを押す。即ち、シートクッション２Ｂの前部側を上方に移動させるイメージで２つの挿入穴３Ａ及び３Ｄに挿入した人差し指及び親指を動かすことにより、センサ４Ａ及びセンサ４Ｅがそれぞれ操作される。これにより、センサ４Ａ及びセンサ４Ｅに対応する各信号がそれぞれＥＣＵ５に入力され、上方へのフロントバーチカルの動作が実行される。
一方、シートクッション２Ｂの前部側を下方に移動させてシートクッション２Ｂを傾斜させる場合、操作者は、挿入穴３Ａに挿入した人差し指で、挿入穴３Ａの内壁の後方側に配置されているセンサ４Ｃを押す。これと同時に、挿入穴３Ｄに挿入した親指で、挿入穴３Ｄの内壁の下方側に配置されているセンサ４Ｅを押す。即ち、シートクッション２Ｂの前部側を下方に移動させるイメージで２つの挿入穴３Ａ及び３Ｄに挿入した人差し指及び親指を動かすことにより、センサ４Ｃ及びセンサ４Ｅがそれぞれ操作される。これにより、センサ４Ｃ及びセンサ４Ｅに対応する各信号がそれぞれＥＣＵ５に入力され、下方へのフロントバーチカルの動作が実行される。
【００３８】
（ｖ）クッション長
シートクッション２Ｂの前部側を前方に移動させてシートクッション２Ｂを伸長させる場合、操作者は、挿入穴３Ａに挿入した人差し指で、挿入穴３Ａの内壁の前方側に配置されているセンサ４Ａを押す。即ち、シートクッション２Ｂの前部側を前方に移動させるイメージで挿入穴３Ａに挿入した人差し指を動かすことにより、センサ４Ａが操作される。これにより、センサ４Ａに対応する信号がＥＣＵ５に入力され、前方へのクッション長の動作が実行される。
一方、シートクッション２Ｂの前部側を後方に移動させてシートクッション２Ｂを収縮させる場合、操作者は、挿入穴３Ａに挿入した人差し指で、挿入穴３Ａの内壁の後方側に配置されているセンサ４Ｃを押す。即ち、シートクッション２Ｂの前部側を後方に移動させるイメージで挿入穴３Ａに挿入した人差し指を動かすことにより、センサ４Ｃが操作される。これにより、センサ４Ｃに対応する信号がＥＣＵ５に入力され、前方へのクッション長の動作が実行される。
【００３９】
（３）実施例の効果
以上より、本実施例のシート操作スイッチ１では、操作者の指を導くガイドとして挿入穴３Ａ，３Ｄを設け、この挿入穴３Ａ，３Ｄの内壁側に、指による操作を検知するセンサ４Ａ〜４Ｆをそれぞれ設けている。このような構成により、操作者からは見えない位置に配置されるシート操作スイッチであっても、スイッチ自体の位置とその操作位置とを容易に認識することができる。また、実際の操作位置となるセンサ４Ａ〜４Ｆが挿入穴３Ａ，３Ｄの内壁側に設けられているので、意図しない操作によりシート２の移動動作が実行されてしまうことを低減できる。
【００４０】
また、複数のセンサ４Ａ〜４Ｆが設けられており、複数のセンサが同時に操作された場合には、複数のセンサ４Ａ〜４Ｆのうちの一つが単独で操作された場合とは別の移動動作を実行するようにしたので、各移動動作に対応するセンサをそれぞれ設けなくても、多様な移動動作を実現できる。また、挿入穴３Ａ，３Ｄにそれぞれ複数のセンサ４Ａ〜４Ｆを設けるようにしたので、センサが点在している場合と比較して、手の位置を変えることなく、同じ指によって異なる複数の移動操作に対応した操作を行うことができる。
【００４１】
更に、人差し指が挿入される挿入穴３Ａと、親指が挿入される挿入穴３Ｄと、を設け、挿入穴３Ｄは挿入穴３Ａの上方側に設けられているので、操作者が、シート操作スイッチ１により操作されるシート２に着座した状態で、シート操作スイッチ１に自然に手を添えて操作することができる。
【００４２】
また、挿入穴３Ａの内壁側に設けたセンサ４Ａ〜４Ｃは、それぞれ前、上及び後に配置されているとともに、挿入穴３Ｄの内壁側に設けたセンサ４Ｄ〜４Ｆは、それぞれ前、下及び後に配置されているので、各挿入穴３Ａ，３Ｄに人差し指及び親指をそれぞれ入れて、シート２を実際に動かすイメージで各指を動かすという直感的な操作により移動動作を実行させることができる。
【００４３】
尚、本発明においては、上記の具体的な実施例に示すものに限られず、目的、用途に応じて本発明の範囲内で種々変更した実施例とすることができる。即ち、上記実施例では、本発明に係る差入部、即ち、内壁側に操作部が設けられている差入部として２つの挿入穴３Ａ及び３Ｄを設ける例を示したが、これに限定されず、例えば、１本の指のみに対応する１つの差入部のみを設けるようにしてもよいし、３本の指に対応する３つ以上の差入部を設けるようにしてもよい。
【００４４】
また、上記実施例では、１つの差入部に操作部としてのセンサを３つ設ける例を示したが、これに限定されず、例えば、１つの差入部に１つ又は２つの操作部を設けるようにしてもよいし、４以上の操作部を設けるようにしてもよい。
【００４５】
更に、上記実施例では、操作部と検知部とが一体であるセンサ４Ａ〜４Ｆを例示したが、これに限定されず、例えば、検知部としてのセンサ等を間接的に操作する操作部と検知部とが別体の形態であってもよい。
【００４６】
また、上記実施例においては、各センサ４Ａ〜４Ｆを挿入穴３Ａ及び３Ｄの内壁に接着により取り付けるようにしたが、これに限定されず、例えば、両面テープにより取り付けたり、プレスして圧着したり、差入部の内壁を形成する際に一体成形して取り付けるようにしたりしてもよい。
【００４７】
更に、上記実施例では、本発明に係る第１差入部として、環状であり、側方が開口した挿入穴３Ａを例示したが、これに限定されず、例えば、図５に示すように、窪み状であり、下方及び側方が開口した第１差入部１３Ａとしてもよい。また、図２に示す挿入穴３Ｄと同様の上方が開口した第１差入部であってもよい。
【００４８】
また、上記実施例では、本発明に係る第２差入部として、環状であり、上方が開口した挿入穴３Ｄと、を例示したが、これに限定されず、例えば、図５に示すように、窪み状であり、上方及び側方が開口した第２差入部１３Ｄとしてもよい。また、図２に示す挿入穴３Ａと同様の側方が開口した第２差入部であってもよい。
【００４９】
更に、上記実施例では、人差し指、中指、薬指及び親指にそれぞれ対応する挿入穴３Ａ〜３Ｄを例示したが、これに限定されず、例えば、図６に示すように、中指と薬指とが挿入可能な挿入穴３Ｅのように、複数の指が挿入可能な差入部であってもよいし、図７に示すように、小指に対応する挿入穴３Ｆのように、五指それぞれに対応する差入部を設けるようにしてもよい。
【００５０】
また、上記実施例では、シート操作スイッチ１をシールド２Ｃの意匠面から突出するように取り付ける例を示したが、これに限定されず、例えば、図８に示すように、シート操作スイッチ１をシールド２Ｃの意匠面に埋設させるように取り付けてもよい。
【００５１】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにおける開示事項に限定することを意図するものではなく、むしろ、本発明は添付の特許請求の範囲内における、機能的に同等の構造、方法、使用の全てに及ぶものとする。
【００５２】
本発明は上記で詳述した実施形態に限定されず、本発明の請求項に示した範囲で様々な変形または変更が可能である。
【符号の説明】
【００５３】
１；シート操作スイッチ、２；シート、２Ａ；シートバック、２Ｂ；シートクッション、２Ｃ；シールド、３Ａ；挿入穴（差入部、第１差入部）、３Ｂ，３Ｃ；挿入穴、３Ｄ；挿入穴（差入部、第２差入部）、４Ａ〜４Ｆ；センサ、５；ＥＣＵ、６；信号線。
【図１】
0005545027.tif 000002
【図２】
0005545027.tif 000003
【図３】
0005545027.tif 000004
【図４】
0005545027.tif 000005
【図５】
0005545027.tif 000006
【図６】
0005545027.tif 000007
【図７】
0005545027.tif 000008
【図８】
0005545027.tif 000009